(57)【要約】【課題】アップリンクデータ伝送遅延を改善するために、無線通信システムにおいてスケジューリングリクエストに応答するダウンリンク制御信号を受信する方法及び通信装置を提供する。【解決手段】方法は、アップリンクリソースを求めるためのスケジューリングリクエストプロセスがトリガーされるときに、ダウンリンク制御チャネルのモニタリングを始める段階を含む。【選択図】図４
2009165134.tif 000002
【特許請求の範囲】
【請求項１】
無線通信システムのＵＥ（ユーザー端末）において制御シグナリングを受信する方法であって、
アップリンクリソースを求めるためのスケジューリングリクエストプロセスがトリガーされるときに、ダウンリンク制御チャネルのモニタリングを始める段階を含む、制御シグナリングの受信方法。
【請求項２】
前記方法は更に、前記スケジューリングリクエストプロセスが終わるまで前記ダウンリンク制御チャネルのモニタリングを続ける段階を含む、請求項１に記載の制御シグナリングの受信方法。
【請求項３】
前記方法は更に、前記スケジューリングリクエストプロセスを実行する間に、新しいデータの伝送を指示するダウンリンク制御チャネルシグナリングを受信するとき、ＤＲＸ（不連続受信）機能のＤＲＸインアクティビティタイマーを起動するか再起動する段階を含む、請求項１または２に記載の制御シグナリングの受信方法。
【請求項４】
前記スケジューリングリクエストプロセスは、前記ＵＥにおいてデータを伝送するための前記アップリンクリソースが足りないときにトリガーされる、請求項１乃至３のいずれかに記載の制御シグナリングの受信方法。
【請求項５】
前記スケジューリングリクエストプロセスは、前記ＵＥがネットワークにより割り当てられた前記アップリンクリソースを取得するときに終了する、請求項２に記載の制御シグナリングの受信方法。
【請求項６】
前記スケジューリングリクエストプロセスは、アップリンク制御チャネルを通してスケジューリングリクエスト信号を伝送する段階を含む、請求項１乃至５のいずれかに記載の制御シグナリングの受信方法。
【請求項７】
前記ダウンリンク制御チャネルはＰＤＣＣＨ（物理ダウンリンク制御チャネル）である、請求項１乃至６のいずれかに記載の制御シグナリングの受信方法。
【請求項８】
無線通信システムのＵＥにおいて制御シグナリングを正確に受信するための通信装置であって、
処理プロセスを実行するＣＰＵ（中央処理装置）と、
前記ＣＰＵに結合され、前記処理プロセスを実行するためのプログラムを記録する記憶装置とを含み、前記処理プロセスは、
アップリンクリソースを求めるためのスケジューリングリクエストプロセスがトリガーされるときに、ダウンリンク制御チャネルのモニタリングを始める段階を含む、通信装置。
【請求項９】
前記処理プロセスは更に、前記スケジューリングリクエストプロセスが終わるまで前記ダウンリンク制御チャネルのモニタリングを続ける段階を含む、請求項８に記載の通信装置。
【請求項１０】
前記処理プロセスは更に、前記スケジューリングリクエストプロセスを実行する間に、新しいデータの伝送を指示するダウンリンク制御チャネルシグナリングを受信するとき、ＤＲＸ機能のＤＲＸインアクティビティタイマーを起動するか再起動する段階を含む、請求項８または９に記載の通信装置。
【請求項１１】
前記スケジューリングリクエストプロセスは、前記ＵＥにおいてデータを伝送するための前記アップリンクリソースが足りないときにトリガーされる、請求項８乃至１０のいずれかに記載の通信装置。
【請求項１２】
前記スケジューリングリクエストプロセスは、前記ＵＥがネットワークにより割り当てられた前記アップリンクリソースを取得するときに終了する、請求項９に記載の通信装置。
【請求項１３】
前記スケジューリングリクエストプロセスは、アップリンク制御チャネルを通してスケジューリングリクエスト信号を伝送する段階を含む、請求項８乃至１２のいずれかに記載の通信装置。
【請求項１４】
前記ダウンリンク制御チャネルはＰＤＣＣＨである、請求項８乃至１３のいずれかに記載の通信装置。
【発明の詳細な説明】
【技術分野】
【０００１】
本発明は制御シグナリングを受信する方法及び通信装置に関し、特に無線通信システムにおいてスケジューリングリクエストに応答するダウンリンク制御信号を受信する方法及び通信装置に関する。
【背景技術】
【０００２】
第三世代移動通信技術は高スペクトル利用効率、高カバー率、優れた通話品質と高速の伝送を実現するとともに、ＱｏＳ（サービス品質）の確保、柔軟性のある双方向通信の実現、通話中断率の低減に大きく寄与する。
【０００３】
３ＧＰＰ（第三世代パートナーシッププロジェクト）により規定されたＬＴＥ（ｌｏｎｇ  ｔｅｒｍ  ｅｖｏｌｕｔｉｏｎ）無線通信システムは、高データ送信率、低レイテンシー、パケット最適化、システム容量とカバー範囲の改善をサポートする新型の無線インターフェイス及び無線ネットワーク構造である。ＬＴＥ無線通信システムにおいて、Ｅ−ＵＴＲＡＮ（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）は複数のｅＮＢ（ｅｖｏｌｖｅｄ  ｎｏｄｅ  Ｂ）を含み、複数のＵＥ（ユーザー端末）と通信する。
【０００４】
ＵＥとＥ−ＵＴＲＡＮ（例えばｅＮＢ）の間は一般に、無線リソース割当によりＵＥにリソースを割り当て、ＵＥとネットワーク間のデータ上り・下り伝送を可能にする。無線リソース割当にはダイナミックリソース割当方式と、所定（ｐｒｅｄｅｆｉｎｅｄ）リソース割当方式など２種類の方式がある。所定リソース割当方式は、ＲＲＣ（無線リソース制御）シグナリングで無線リソースを割り当て、一定量のデータ（例えば音声データ）を周期的に伝送する。ＵＥは時間間隔をおいて、割り当てられた無線リソースに基づいて周期的にデータを上り・下り伝送し、ネットワークとデータを交換する。一方、ダイナミックリソース割当方式は、同じセル内のＵＥの数量に基づいて、ＵＥに無線リソースを動的に割り当てる。ＵＥはＰＤＣＣＨ（物理ダウンリンク制御チャネル）をモニタリングすることで制御シグナリングを受信し、ダウンリンクアサインメントまたはアップリンクグラントを取得する。
【０００５】
現行のＬＴＥ無線通信システムの構造では、ＭＡＣ（媒体アクセス制御）層で不連続受信（ＤＲＸ、間欠受信ともいう）機能を制御し、ＵＥのダウンリンク受信タイミングを制限する。上り・下りデータ交換が無いとき、ＵＥは周期的に起動（ｗａｋｅ  ｕｐ）してＰＤＣＣＨをモニタリングし、ネットワークに送信予定のダウンリンクデータがあるかどうかを確認する。送信予定のダウンリンクデータがあればデータを受信し、さもなければ休眠状態に戻る。そうすれば、ＵＥの電力消費を削減し、待ち受け時間を延長することができる。
【０００６】
ＤＲＸ機能の起動時、ＤＲＸサイクルに入るたびにオンデュレーションタイマー（ｏｎ  ｄｕｒａｔｉｏｎ  ｔｉｍｅｒ）を起動し、休眠状態のＵＥを起こし、オンデュレーションタイマーが終了するまでＵＥにＰＤＣＣＨをモニタリングさせる。また、ＵＥはＤＲＸインアクティビティタイマー（ＤＲＸ  ｉｎａｃｔｉｖｉｔｙ  ｔｉｍｅｒ）またはＤＲＸ再送タイマーの起動時にもＰＤＣＣＨをモニタリングする。
【０００７】
言い換えれば、ＤＲＸ機能の起動時、一部の状況を除いて、ＵＥはＰＤＣＣＨをモニタリングする必要が無く休眠状態に入ってもよい。以下にＵＥによるＰＤＣＣＨモニタリングが必要な状況を挙げる。
【０００８】
（１）  オンデュレーションタイマーの起動時。
（２）  ＤＲＸインアクティビティタイマーの起動時。
（３）  ＤＲＸ再送タイマーの起動時。
（４）  再送に用いるアップリンクグラントを取得することが可能な場合。
【０００９】
ＵＥにアップリンク伝送データがあるが、アップリンクグラントがなければ、データは伝送されない。アップリンクデータ伝送を行うためには、ＰＵＣＣＨ（物理アップリンク制御チャネル）を通してスケジューリングリクエストプロセスを起動し、ネットワークにアップリンクグラントを割り当てるように求めなければならない。ネットワークにより割り当てられたアップリンクグラントを取得した後、ＵＥはスケジューリングリクエストプロセスを終了させる。
【００１０】
したがって、ＵＥのアップリンクデータ伝送に用いるアップリンクグラントがなければ、前記規則によると、スケジューリングリクエストプロセスの起動後に他のＤＲＸタイマーが起動されていなければ、ＵＥは次の動作周期まで待ってから、ＰＤＣＣＨをモニタリングし、ネットワークにより割り当てられたアップリンクグラントを取得するほかない。そうすると、アップリンクデータ伝送に遅延が生じる。
【００１１】
簡単に言えば、従来の技術において、ＵＥからネットワークへのアップリンクデータ伝送に用いるアップリンクグラントがなければ、ＵＥはＰＤＣＣＨを即時にモニタリングし、ネットワークにより割り当てられたアップリンクグラントを取得することができないので、アップリンクデータ伝送に遅延が生じ、無線通信システムの効率が低下する。
【発明の開示】
【発明が解決しようとする課題】
【００１２】
本発明はアップリンクデータ伝送遅延を改善するために、無線通信システムにおいてスケジューリングリクエストに応答するダウンリンク制御信号を受信する方法及び通信装置を提供することを課題とする。
【課題を解決するための手段】
【００１３】
本発明では、無線通信システムのＵＥ（ユーザー端末）において制御シグナリングを受信する方法を開示する。当該方法は、アップリンクリソースを求めるためのスケジューリングリクエストプロセスがトリガーされるときに、ダウンリンク制御チャネルのモニタリングを始める段階を含む。
【００１４】
本発明では更に、無線通信システムのＵＥにおいて制御シグナリングを正確に受信するための通信装置を開示する。当該通信装置は、処理プロセスを実行するＣＰＵ（中央処理装置）と、ＣＰＵに結合され、処理プロセスを実行するためのプログラムを記録する記憶装置とを含む。処理プロセスは、アップリンクリソースを求めるためのスケジューリングリクエストプロセスがトリガーされるときに、ダウンリンク制御チャネルのモニタリングを始める段階を含む。
【発明を実施するための最良の形態】
【００１５】
かかる方法及び装置の特徴を詳述するために、具体的な実施例を挙げ、図を参照にして以下に説明する。
【００１６】
図１を参照する。図１は無線通信システム１０を表す説明図である。無線通信システム１０は望ましくはＬＴＥシステムであり、概してネットワークと複数のＵＥを含む。図１に示すネットワークとＵＥは無線通信システム１０の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１７】
図２を参照する。図２は無線通信システムにおける無線通信装置１００のブロック図である。無線通信装置１００は図１に示すＵＥを実施するために用いられる。説明を簡素化するために、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８を用いて記憶装置１１０に記録されたプログラム１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１８】
図３を参照する。図３は図２に示すプログラム１１２を表す説明図である。プログラム１１２はアプリケーション層２００と、第三層２０２と、第二層２０６とを含み、第一層２１８に接続されている。第二層２０６にはＭＡＣ（媒体アクセス制御）エンティティー２２２が設けられており、ＭＡＣエンティティー２２２は基地局と複数のＨＡＲＱ（ハイブリッド自動リピート要求）プロセスを実行してパケットを受信するとともに、ＤＲＸ機能をサポートする。第一層２１８は物理層である。ＭＡＣエンティティー２２２は物理層を通してネットワークから送信された制御シグナリングを受信して復号する。ＭＡＣエンティティー２２２が第三層２０２のＲＲＣシグナリングに基づいてＤＲＸ機能を実行するとき、第一層２１８はＤＲＸオンデュレーションタイマーの起動時にのみダウンリンク制御チャネルをモニタリングする。なお、無線通信装置１００はアップリンクデータ伝送にアップリンクグラントを必要とし、この情報はネットワークからダウンリンク制御チャネルに送信される。それに鑑みて、本発明の実施例ではプログラム１１２に制御シグナリング受信プログラム２２０を設け、アップリンクデータ伝送遅延を解決する。
【００１９】
図４を参照する。図４は本発明による方法４０のフローチャートである。下記方法４０は無線通信システムのＵＥにおいて制御シグナリングを受信し、アップリンクデータ伝送遅延を改善するために用いられ、制御シグナリング受信プログラム２２０としてコンパイルすることができる。
【００２０】
ステップ４００：開始
ステップ４０２：アップリンクリソースを求めるためのスケジューリングリクエストプロセスがトリガーされるときに、ダウンリンク制御チャネルのモニタリングを始める
ステップ４０４：ダウンリンク制御チャネルからネットワークにより割り当てられたアップリンクリソースを受信する
ステップ４０６：前記スケジューリングリクエストプロセスを終了させ、ダウンリンク制御チャネルのモニタリングを停止する
ステップ４０８：終了。
【００２１】
以上のとおり、アップリンクリソースを求めるためのスケジューリングリクエストプロセスがトリガーされると、ＵＥはダウンリンク制御チャネルのモニタリングを始め、次回のオンデュレーションタイマーの起動を待つことにより生じるアップリンク伝送遅延を回避する。その後、ＵＥはネットワークにより割り当てられたアップリンクリソースを取得しスケジューリングリクエストプロセスが終了するまで、ダウンリンク制御チャネルをモニタリングし続ける。
【００２２】
望ましくは、前記ダウンリンク制御チャネルはＰＤＣＣＨであり、アップリンクリソースはアップリンクグラントである。前記スケジューリングリクエストプロセスにおいて、ＵＥはＰＵＣＣＨを通してスケジューリングリクエスト信号を周期的に送信し、ネットワークにアップリンクリソースを求めることができる。
【００２３】
したがって、スケジューリングリクエストプロセスがトリガーされると、本発明の実施例ではダウンリンク制御チャネルのモニタリングを始める。したがって、ネットワークは次回のオンデュレーションタイマー起動を待つことなく、アップリンクリソースを即時に割り当てることができる。そうすると、ＵＥはネットワークにより割り当てられたアップリンクリソースを即時に取得することができる。そのため、本発明の実施例はアップリンクデータの伝送遅延を解決し、不必要な待ち時間をなくすことができる。
【００２４】
注意すべきは、図４に示す方法４０は本発明の実施例を示すに過ぎず、当業者はそれに基づいて種々の修正を加えることができる。例えば、スケジューリングリクエストプロセスを実行する間に、新しいデータの伝送を指示するダウンリンク制御チャネルシグナリングを受信した場合に、ＤＲＸ機能のＤＲＸインアクティビティタイマーを起動するか再起動することもできる。
【００２５】
まとめて言えば、本発明では制御シグナリングを受信する方法を提供し、アップリンクデータの伝送遅延を解決する。本発明は、ＵＥが物理アップリンクチャネルを通してスケジューリングリクエストプロセスをトリガーし、ネットワークにアップリンクグラントを求めるときに、ダウンリンク制御チャネルのモニタリングを始める。その後、ネットワークにより割り当てられたアップリンクリソースを取得し、スケジューリングリクエストプロセスが終了するまで、モニタリングを続ける。そうすると、ＵＥの待ち時間を削減し、システム効率を向上させることができる。
【００２６】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２７】
【図１】無線通信システムを表す説明図である。
【図２】無線通信装置のブロック図である。
【図３】図２に示すプログラムを表す説明図である。
【図４】本発明による方法のフローチャートである。
【符号の説明】
【００２８】
１０          無線通信システム
１００        無線通信装置
１０２        入力装置
１０４        出力装置
１０６        制御回路
１０８        ＣＰＵ
１１０        記憶装置
１１２        プログラム
１１４        トランシーバー
２００        アプリケーション層
２０２        第三層
２０６        第二層
２１８        第一層
２２０        制御シグナリング受信プログラム
２２２        ＭＡＣエンティティー
【図１】
2009165134.tif 000003
【図２】
2009165134.tif 000004
【図３】
2009165134.tif 000005
【図４】
2009165134.tif 000006